(57)【要約】【課題】ノイズ電波の発生を低減し、周辺に配置された機器の誤動作を防止する。【解決手段】管体１の内部にアルミ製放熱板４を配設する。放熱板４の上方に、右側と左側の２枚のプリント基板５を設ける。各プリント基板５は、放熱板４に固定用ネジ６によって支持する。基板５の表面に導電ペーストのコーティング層から成るシールドパターン７を印刷する。プリント基板５の表面に十数個のＬＥＤ８ａ〜８ｎを実装する。ＬＥＤ８ａ〜８ｎの端子はスルーホール９を通ってプリント基板５の背面に露出する。ＬＥＤ８ａ〜８ｎは、隣接する２個のＬＥＤごとにその極性が異なるように配置する。プリント基板５の背面に露出した各ＬＥＤ８ａ〜８ｎの端子を接続する配線１０ａ……１０ｎは、往路側と復路側とが交互に鎖状に入り組んでいるため、各配線部分を流れる電流によって発生する電界が打ち消し合う。【選択図】図１
2011030122.tif 000002
【特許請求の範囲】
【請求項１】
プリント基板上に複数個のＬＥＤを直線状に配置し、このプリント基板を円筒状の管体内部に収納して成る直管形蛍光灯タイプの可視光通信用ＬＥＤ照明装置において、
前記ＬＥＤをその極性が異なる方向でプリント基板に配置すると共に、各ＬＥＤを接続する往路側と復路側の配線を、各配線が互いにその電界を打ち消しあうように配置したことを特徴とする可視光通信用ＬＥＤ照明装置。
【請求項２】
前記プリント基板の表面に、ＬＥＤ配線から発生するノイズ電波を遮蔽するシールドパターンを形成したことを特徴とする請求項１に記載の可視光通信用ＬＥＤ照明装置。
【請求項３】
前記プリント基板の背後にシールドとして機能する放熱板を配置したことを特徴とする請求項１または請求項２に記載の可視光通信用ＬＥＤ照明装置。
【発明の詳細な説明】
【技術分野】
【０００１】
本発明は、可視光通信システムに使用するＬＥＤ照明装置に関するものであって、特に、直管形の蛍光灯タイプのＬＥＤ照明装置における電波ノイズの発生を低減する技術に係る。
【背景技術】
【０００２】
電波を使用した通話機器は、機械設備や医療機器へ電波による影響を与えるため、これらの装置や機器を誤動作させる問題がある。また、有線による通話機器は配線が必要なため、作業などで使用する場合足を引っ掛けるなど危険な場合がある。
【０００３】
このような観点から、可視光通信システムに関する提案が、たとえば特許文献１−４に示すように従来からなされている。この特許文献１の発明は、親機と子機間の通信をＬＥＤを使用した可視光あるいは赤外線を使用することにより、ＬＥＤ照明が照らす部分のみ通信ができ、前記のような電波を使用した通信機器の欠点を解消することができると共に、電波のように隣りの部屋に通話が漏れることがなく、セキュリティの高いシステムを構築できる利点がある。
【先行技術文献】
【特許文献】
【０００４】
【特許文献１】特開２００８-２８２５８８号公報
【特許文献２】特開２００８-０４８２０５号公報
【特許文献３】特開２００８-１５４０６３号公報
【特許文献４】特開２００９-０３２６８０号公報
【発明の概要】
【発明が解決しようとする課題】
【０００５】
ところで、最近では、ＬＥＤ照明装置として、例えば十数個のＬＥＤを直線状に配置した直管形の蛍光灯タイプのものが提案されている。この種のＬＥＤ照明装置は、省エネ性能に優れていることから、従来の直管形の蛍光灯に代えて広く使用されることが期待されている。
【０００６】
しかし、この直管形蛍光灯タイプのＬＥＤ照明装置を可視光通信システムに適用した場合、ＬＥＤ照明にＦＭ変調をかけて光信号を出力する際に、ＬＥＤの配線距離が長くなるため、この配線部分からノイズとなる電波が出力されてしまう現象がある。そのため、直管形蛍光灯タイプのＬＥＤ照明装置を機械設備などのある場所に設置すると、配線部分から発生したノイズ電波が機械設備を誤動作させてしまう可能性がある。
【０００７】
本発明は上述した課題を解決するためになされたものであり、その目的は、直線状に配置された複数のＬＥＤを備えた直管形蛍光灯タイプのＬＥＤ照明装置において、各ＬＥＤの配線構造に改良を施すことにより、ノイズ電波の発生を低減し、周辺に配置された機器を誤動作を防止することにある。
【課題を解決するための手段】
【０００８】
本発明のＬＥＤ照明装置は、プリント基板上にＬＥＤを配置するに当たり、プリント基板上のＬＥＤを接続する配線を、各配線が互いに磁界を打ち消しあう構成としたことを特徴とする。
【０００９】
また、プリント基板の表面に、ＬＥＤ配線から発生するノイズ電波を遮蔽するシールドパターンを形成すること、及びＬＥＤの発熱を逃がすためにプリント基板の背後に配置する放熱板をシールドとして機能させることも、本発明の一態様である。
【発明の効果】
【００１０】
本発明のＬＥＤ照明装置によれば、電波を使用できない機械設備や医療機器のそばで通話することができる安全確実な可視光通信システムを構築することができる。
【図面の簡単な説明】
【００１１】
【図１】本発明のＬＥＤ照明装置の実施例１を示す側面図。
【図２】実施例１におけるプリント基板とそれに実装したＬＥＤを示す平面図。
【図３】図２のプリント基板の背面図。
【図４】本発明の実施例２における配線パターンを示す模式図。
【図５】従来技術における配線パターンを示す模式図。
【発明を実施するための形態】
【００１２】
以下、本発明の実施例を図面を参照して説明する。各実施例で同一または類似の構成部分には、共通の符号を付し、重複する説明は省略する。
【実施例１】
【００１３】
［１−１．構成］
図１は、本発明の実施例１を示す側面図である。図中、符号１はＬＥＤ照明装置の管体であって、この管体１は直管形蛍光灯のガラス管と同様な形状の円筒状の樹脂製部材から構成される。この管体１の両端には、蛍光灯の口金に相当する樹脂製の口金部２が設けられ、この口金部２から端子３が突出している。
【００１４】
管体１の内部には、細い板状のアルミ製放熱板４が配設されている。この放熱板４の両端は、管体１の両端に設けられた左右の口金部２によって支持されている。放熱板４の上方には、右側と左側の２枚のプリント基板５が放熱板４と平行に設けられている。これら２枚のプリント基板５は、管体１の長さ方向の中央部から左右に対称形に配置されている。各プリント基板５は、前記放熱板４に対して固定用ネジ６によって支持されている。
【００１５】
前記プリント基板５の表面には、導電ペーストのコーティング層から成るシールドパターン７が全面に印刷されている。このシールドパターン７は、前記固定ネジ６によってアルミ製放熱板４と電気的に接続され、同電位になっている。なお、プリント基板５の背面における配線パターンの外周には、表面と同様に、シールドパターン７が印刷されている。
【００１６】
プリント基板５の表面には、管体１の長さ方向に沿って１列に十数個のＬＥＤ８ａ〜８ｎが実装されている。この場合、プリント基板５には、スルーホール９が形成され、このスルーホール９を貫通してＬＥＤ８ａ〜８ｎの端子がプリント基板５の背面に露出している。前記プリント基板表面のシールドパターン７は、このスルーホール９部分を避けて印刷され、ＬＥＤ８ａ〜８ｎの端子とシールドパターン７とは短絡しない。
【００１７】
ＬＥＤ８ａ〜８ｎは、隣接する２個のＬＥＤごとにその極性が異なるように配置されている。すなわち、往路側の配線で接続されるＬＥＤ８ａと、復路側の配線で接続されるＬＥＤ８ｂとが同じ方向の極性で１組となって、隣接する組ごとに極性が異なるように配置されている。そのため、プリント基板５の背面に露出した各ＬＥＤ８ａ〜８ｎの端子を接続する配線１０ａ……１０ｎは、プリント基板５の口金部２側から先端側へ、先端側から口金部２側へと、蛇行して配線され、往路側と復路側とが交互に鎖状に入り組んだ形状になっている。
【００１８】
［１−２．作用・効果］
以上のような構成を有する実施例１では、プリント基板５の背面に設けられた各ＬＥＤの配線１０ａ〜１０ｎが、回路の往路側と復路側とで交互に入り組んだ形状になっているため、各配線部分を流れる電流によって発生する電界が打ち消し合うことになる。その結果、ＬＥＤ照明装置全体から発生するノイズ電波が大幅に低減する。
【００１９】
その上、実施例１では、プリント基板５の表面及び裏面にシールドパターン７を印刷すると共に、プリント基板５の背面にシールドとして機能するアルミ製放熱板４を配置したので、より効果的にノイズ電波の遮蔽が行われる。次の表は、実施例１と同一数のＬＥＤを使用した従来の照明装置と、実施例１の照明装置とのノイズ電波の出力レベルを比較したものである。この場合、従来の照明装置の配線は、図５に示すように、各ＬＥＤを同一方向に配置し、往路側の配線を蛇行状、復路側の配線を直線状とした。
【表１】
2011030122.tif 000003
【００２０】
以上の通り、実施例１によれば、図５の従来技術に比較して、２０ｄＢ以上の電波出力を低減可能である。よって、ＬＥＤ照明装置周囲の機械設備や医療機器に悪影響を与えることがなくなるので、従来使用が不可能とされていた環境においても、直管形蛍光灯タイプのＬＥＤ照明装置による可視光通信を使用することができる。
【実施例２】
【００２１】
本実施例は、前記実施例１に限定されるものではなく、次のような他の実施例も包含する。
(1) 図４に示すように、往路側のＬＥＤ８ａと復路側のＬＥＤ８ｂを１つ置きに逆極性で配置して、これらのＬＥＤを１つ置きと２つ置きに交互に接続するように配線することもできる。また、実施例１や図４以外に、図５の従来技術のような長い配線を形成することなく、往路側と復路側の配線が互いに入り組んで両者に生じる電界が打ち消されるように、ＬＥＤの極性を反転させるパターンと、それらを接続する配線パターンを選択することも可能である。
(2) 実施例１のプリント基板５に、ＬＥＤを複数列配置して、各ＬＥＤの配線を、流れる電流によって生じる電界が打ち消されるように構成する。
(3) プリント基板５を管体１の中央から分割することなく、両端の口金部２を結ぶ１枚の部材から形成し、その上に、実施例１のようにＬＥＤを１列に配置したり、前記(2) のように複数列のＬＥＤを配置する。
【符号の説明】
【００２２】
１…管体
２…口金部
３…端子
４…アルミ製放熱板
５…プリント基板
６…固定ネジ
７…シールドパターン
８ａ〜８ｎ…ＬＥＤ
９…スルーホール
１０ａ〜１０ｎ…配線
【図１】
2011030122.tif 000004
【図２】
2011030122.tif 000005
【図３】
2011030122.tif 000006
【図４】
2011030122.tif 000007
【図５】
2011030122.tif 000008
【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
プリント基板上に複数個のＬＥＤを直線状に配置し、このプリント基板を円筒状の管体内部に収納して成る直管形蛍光灯タイプの可視光通信用ＬＥＤ照明装置において、
前記プリント基板には、前記管体の両端に設けられた端子のいずれか一方から出発して元の端子に戻る２つの配線を設け、
前記２つの配線のそれぞれに前記複数個のＬＥＤを接続し、
各配線に接続した複数個のＬＥＤを、その極性が前記管体の軸方向と直角な方向に対して１つ置きあるいは複数個置きに異なるように前記プリント基板に配置し、
前記両端の端子に接続した２つの配線のそれぞれについて、各ＬＥＤを接続する往路側と復路側の配線を交互に入り組んだ形状に配置したことを特徴とする可視光通信用ＬＥＤ照明装置。
【請求項２】
前記プリント基板の表面の前記配線に対応する部分に、ＬＥＤ配線から発生するノイズ電波を遮蔽するシールドパターンを形成したことを特徴とする請求項１に記載の可視光通信用ＬＥＤ照明装置。
【請求項３】
前記プリント基板の背後にノイズ電波を遮蔽するシールドとして機能するアルミ製放熱板を配置したことを特徴とする請求項１または請求項２に記載の可視光通信用ＬＥＤ照明装置。
【手続補正２】
【補正対象書類名】明細書
【補正対象項目名】０００８
【補正方法】変更
【補正の内容】
【０００８】
本発明のＬＥＤ照明装置は、プリント基板上に複数個のＬＥＤを直線状に配置し、このプリント基板を円筒状の管体内部に収納して成る直管形蛍光灯タイプの可視光通信用ＬＥＤ照明装置において、前記プリント基板には、前記管体の両端に設けられた端子のいずれか一方から出発して元の端子に戻る２つの配線を設け、前記２つの配線のそれぞれに前記複数個のＬＥＤを接続し、各配線に接続した複数個のＬＥＤを、その極性が前記管体の軸方向と直角な方向に対して１つ置きあるいは複数個置きに異なるように前記プリント基板に配置し、前記両端の端子に接続した２つの配線のそれぞれについて、各ＬＥＤを接続する往路側と復路側の配線を交互に入り組んだ形状に配置したことを特徴とする。